(57)【要約】      （修正有）【課題】  取り込んだ紙幣を容易に紙幣待機部に搬送待機させることができ、紙幣の押出の際に紙幣に必要以上の負荷を加えて紙幣を損傷することもなく、さらに安定的に紙幣を挟持積載収容可能な紙幣処理装置を提供するものである。【解決手段】  紙幣取り込機構を介して取り込まれた紙幣を収納待機部まで搬送する紙幣誘導機構と前記収納待機部に待機されている紙幣を紙幣収納部に押し出す紙幣押出機構等を配設した機構収納部と、前記紙幣押出機構により押し出された紙幣を積層挟持する紙幣挟持機構を有する紙幣収納部と、前記紙幣の通過口を形成した機構収納部と紙幣収納部との仕切り部を備え、前記仕切り部は、前記通過口の上辺と下辺の少なくとも一方の辺を前記収納待機部側に張り出して形成することにより、前記紙幣の押し出しの際に前記紙幣に上縁あるいは下縁のいずれかが先に前記通過口より紙幣収納部側に押し出されるように構成したものである。【選択図】  図３
2006248777.tif 000002
【特許請求の範囲】
【請求項１】
遊技機島に配設された紙幣搬送装置を介して起立状態で搬送された紙幣を筐体内部に取り込む為の紙幣取り込機構と前記紙幣取り込機構を介して取り込まれた紙幣を収納待機部まで搬送する紙幣誘導機構と前記収納待機部に待機されている紙幣を紙幣収納部に押し出す紙幣押出機構等を配設した機構収納部と、前記紙幣押出機構により押し出された紙幣を積層挟持する紙幣挟持機構を有する紙幣収納部と、前記紙幣の通過口を形成した機構収納部と紙幣収納部との仕切り部を備えた紙幣処理装置において、
前記仕切り部は、前記通過口の上辺と下辺の少なくとも一方の辺を前記収納待機部側に張り出して形成することにより、前記紙幣の押し出しの際に前記紙幣に上縁あるいは下縁のいずれかが先に前記通過口より紙幣収納部側に押し出されるように構成した
ことを特徴とする紙幣処理装置。
【請求項２】
前記紙幣挟持機構は、前記機構収納部の後板と紙幣収納部の前板間に架設された一対の摺動竿と、
前記摺動竿上を摺動する紙幣挟持体と、
前記一対の摺動竿の間に配設された該紙幣挟持体を付勢する渦巻ばねとを設けた
ことを特徴とする請求項１項記載の紙幣処理装置。
【発明の詳細な説明】
【技術分野】
【０００１】  本発明は、起立状態で搬送された紙幣を収納する紙幣処理装置、特に、パチンコ玉貸機、メタル貸機などに起立状態で投入された紙幣を紙幣搬送装置にて搬送した後に同状態で収納部に収納した紙幣処理装置に関する。
【背景技術】
【０００２】  一般にパチンコ機、スロットマシンなどの遊技機と、隣設した遊技機の間に配設された遊技媒体貸機とを複数並設した所謂遊技機島には、遊技媒体貸機あるいはそれらに付設された紙幣識別装置に投入された紙幣を遊技機島の端部に配設した紙幣処理装置に紙幣搬送装置を介して取り込み収納する方法が取られていた。この方法に於いては、遊技機島のスペースの関係上、遊技機島の奥行が大きく取れないこともあって、投入された紙幣を倒立した状態で搬送するもことが望まれ、このために紙幣搬送装置を遊技機島の頭上に配設することが多かった。従って、遊技機島の端部に配設された紙幣処理装置にも倒立した状態で取り込み収納する構造が取られていた。【０００３】  たとえば、特許第３２７８３１８号公報では、搬送されてきた紙幣類の後端と当接する位置に設けられた紙幣類後端回避機構の動作によって紙幣類待機部に導き、紙幣類待機部に一時待機した紙幣類を出入自在の紙幣類押出部の押出動作により紙幣類収納部へ起立積層状態に順次収納させる構成を具備した紙幣類収納装置に於いて、前記紙幣類後端回避機構は、前記紙幣類移送部に連接して設けられた回避軸と前記回避軸の上下端２ヶ所に設けられた回避ローラから成り、前記回避ローラには外周面に複数のＵ字型湾曲形状の案内部が形成され、前記紙幣類待機部内に一時待機させた紙幣類を長手方向の姿勢状態で維持させると共に、前記回避ローラが搬送方向と同方向に回動することにより待機した紙幣類の後端のみを前記Ｕ字型湾曲形状の案内部と面接触させて湾曲姿勢と成し、次位の紙幣類を挿入案内し、順次起立積層していく構成と、紙幣類収納部に積層方向に付勢部材により往復摺動する摺動機構を備えた紙幣類挟持板と、該紙幣類挟持板は下部に支持部を固着し、該支持部の中央に摺動軸を挿通し、且つ両側には底面より僅かに浮遊した状態の回動ローラが転動自在に取付けられた紙幣類挟持板の支持部が回動ローラ及び摺動軸により支えられている構成が開示されている。【０００４】  このような従来の技術にあっては、紙幣類待機部内に一時待機させた紙幣類を長手方向の姿勢状態で維持させた後に、紙幣類の後端のみを前記Ｕ字型湾曲形状の案内部と面接触させて湾曲姿勢を得る構成のため、紙幣が長手方向に移動しないように一定の保持力で維持する必要があり紙幣の位置制御が微妙でしかも紙幣類後端回避機構の負荷が増加し、且つ、紙幣を一定の保持力で保持している関係上、紙幣の痛み具合によっては、紙幣類押出部の押出動作時に紙幣を損傷するという問題点もあった。【０００５】  更に、紙幣類挟持板を摺動可能に支持する支持部を一本の摺動軸上で摺動させるため、支持部を安定に保つ必要上、回動ローラ等の別部品を設けるため、部品点数が多く、コスト的に不利であるなどの問題点があった。【０００６】  この出願の発明に関連する先行技術文献としては次のものがある。
【特許文献１】  特許第３２７８３１８号「紙幣類収納装置」
【非特許文献】  なし
【発明の開示】
【発明が解決しようとする課題】
【０００７】  本発明は、上記の従来の技術が有する問題を解決するためになされたものであり、その目的は、取り込んだ紙幣を容易に紙幣待機部に搬送待機させることができ、しかも紙幣の押出の際に紙幣に必要以上の負荷を加えて紙幣を損傷することもなく、さらに紙幣挟持機構の作動が安定し、部品点数が少なくコンパクトでしかも安定的に紙幣を挟持積載収容可能な紙幣処理装置を提供するものである。
【課題を解決するための手段】
【０００８】  上記課題を解決するため、本発明においては、遊技機島に配設された紙幣搬送装置を介して起立状態で搬送された紙幣を筐体内部に取り込む為の紙幣取り込機構と前記紙幣取り込機構を介して取り込まれた紙幣を収納待機部まで搬送する紙幣誘導機構と前記収納待機部に待機されている紙幣を紙幣収納部に押し出す紙幣押出機構等を配設した機構収納部と、前記紙幣押出機構により押し出された紙幣を積層挟持する紙幣挟持機構を有する紙幣収納部と、前記紙幣の通過口を形成した機構収納部と紙幣収納部との仕切り部を備えた紙幣処理装置において、
前記仕切り部は、前記通過口の上辺と下辺の少なくとも一方の辺を前記収納待機部側に張り出して形成することにより、前記紙幣の押し出しの際に前記紙幣に上縁あるいは下縁のいずれかが先に前記通過口より紙幣収納部側に押し出されるように構成したものである。【０００９】  上記のように構成することにより、紙幣を押し出す際に紙幣に上縁あるいは下縁のいずれかが先に通過口を通過して紙幣収納部側に押し出されるために、紙幣に加わる押し出し力が軽減され、紙幣を損傷する恐れが少なく、しかも、紙幣が通過口を通過した直後に押出力によって弾かれ収納位置がずれるような事態が生ずることも少なくなる。【００１０】  次の発明は、前記紙幣挟持機構は、前記機構収納部の後板と紙幣収納部の前板間に架設された一対の摺動竿と、前記摺動竿上を摺動する紙幣挟持体と、前記一対の摺動竿の間に配設された該紙幣挟持体を付勢する渦巻ばね（ぜんまい）を用いたものである。【００１１】  上記のように構成することにより、特に、紙幣挟持体を安定させるための部品を必要とせず、一対の摺動竿で紙幣挟持体を安定的に摺動させることができ、しかも渦巻ばね（ぜんまい）を用いることによって、紙幣を挟持する力を一定に保つことが可能となり、紙幣の積載量が増加しても紙幣の挟持力によって、紙幣の取り出しがやり難くなるようなことがない。
【発明の効果】
【００１２】  以上のように、本発明によれば、紙幣の通過口を形成した機構収納部と紙幣収納部との仕切り部の通過口の上辺と下辺の少なくとも一方の辺を前記収納待機部側に張り出して形成することにより、紙幣の押し出しの際に紙幣に上縁あるいは下縁のいずれかが先に通過口より紙幣収納部側に押し出されるため、紙幣に加わる押し出し力が軽減され、紙幣を損傷する恐れが少なく、しかも、紙幣が通過口を通過した直後に押出力によって弾かれ収納位置がずれるような事態が生ずることも少なくなる。
【発明を実施するための最良の形態】
【００１３】  以下、本発明を実施するための最良の形態を、図面に基づいて説明する。図１は、本発明の紙幣処理装置の正面図、図２は、本発明の上面図、図３は、図１のＡ−Ａ矢視図、図４は、本発明の紙幣処理装置の取付け状態を示した概略説明図である。【００１４】  本発明の紙幣処理装置１００は、図４に示すように、遊技機８０と遊技媒体貸８０とを交互に多数並設するとともに、それらの遊技機８０と遊技媒体貸機８１の上方に架設されている紙幣搬送装置９０とを備えた遊技機島の端部に配設されている。即ち、遊技媒体貸機８１、あるいは紙幣搬送装置９０に設けられたビルバリ９１から投入された紙幣Ｍを紙幣搬送装置９０で搬送して紙幣処理装置１００に積載収容している。【００１５】  この紙幣処理装置１００は、全体として略長矩形の箱状に形成された筐体１０と、この筐体１０の内部に画成された機構収納部１１に配設された紙幣引込機構２０と、紙幣誘導機構３０と、紙幣押出機構４０並びに機構収納部１１と直交方向に画成された紙幣収納部１２に配設された紙幣挟持機構５０と、機構収納部１１と紙幣収納部１２を仕切っている仕切り部６０を備えている。尚、筐体１０は、一般的には、図に示すように紙幣搬送装置９０の端部に配設されたカバー９２の内部に収納されている。【００１６】  筐体１０は、全体として略長矩形の箱形状に構成されており、前板１４、後板１５、側板１６、上板１７、底板１８を有し、中板１９で上段と下段に仕切られている。尚、後板とは、島側を示す。以下、方向は、紙幣処理装置１００を遊技機島（紙幣搬送装置９０）に取付けた状態を基準とする。そして、この筐体１０の内部には、仕切り部６０と後板１５と側板１６と中板１９の上段に画成された機構収納部１１と、仕切り部６０と前板１４と側板１６と中板１９に画成された上段部分並びに前板１４と後板１５と側板１６と中板１９に画成されている下段部分より成る紙幣収納部１２が形成されている。そして、この機構収納部１１と紙幣収納部１２は、仕切り部６０を介して直交方向に配置されている。【００１７】  機構収納部１１には、以下に詳述する紙幣引込機構２０と紙幣誘導機構３０と紙幣押出機構４０とが配設されている。また、紙幣収納部１２には、紙幣挟持機構５０の紙幣挟持体５１と位置センサ５４が配設されている。【００１８】  紙幣引込機構２０は、搬送部２１と紙幣通路２２とを備えており、搬送部２１は、引込回転軸２２と駆動回転軸２３と回転送出し軸２５と張設回転軸２６と紙幣誘導機構３０の第１搬送軸３１に固着されたプーリ３１ｂと無端丸ベルト２７で構成されている。そして、引込回転軸２３は、機構収納部１１を画成している後板１５にブラケット（図示しない）を介して軸止され、中央にプーリ２３ａを固着している。また、駆動回転軸２４は、上板１７と中板１９の両端を軸止され、中央にプーリ２４ａを取付けるとともに、中板１９を貫通した軸部に伝動プーリ２４ｂを固着している。更に、回転送出し軸２５は、駆動回転軸２４と同様に上板１７と中板１９に両端が軸止されていて、機構収納部１１側の両端部に回転羽車２５ａを固着するとともに、中央にプーリ２５ｂを取付けている。そして、張設回転軸２６も駆動回転軸２４と同様に上板１７と中板１９に両端が軸止されていて中央にプーリ２６ａが固着されている。【００１９】  これらの駆動回転軸２４と回転送出し軸２５と張設回転軸２６とは、図２に示すように平面上三角形の頂点に相当する位置に配設されている。そして、無端丸ベルト２７は、それらの軸に固着されたプーリ２４ａとプーリ２５ｂとプーリ２６ａの外周に巻架されていて、張設回転軸２６と駆動回転軸２４の間を引込回転軸２３のプーリ２３ａで外側から内側に圧接し、駆動回転軸２４とプーリ３１ｂの間を回転送出し軸２５のプーリ２５ｂで外側から内側に圧接している。【００２０】  紙幣通路２２は、機構収納部１１側の後板１５外側に取付けられ、前述の紙幣搬送装置９０と連通する紙幣取入口２２ａと、後板１ｂの内側に固定された第１ガイド部材２２ｂと第２ガイド部材２２ｃと第１ガイド部材５１と第２ガイド部材５２とを備えている。この第１ガイド部材２２ｂと第２ガイド部材２２ｃ間に紙幣挿通路２２ｄが形成されている。【００２１】  第１ガイド部材２２ｂは、各プーリ間に巻架された無端丸ベルト２７の外側をプーリ２４ａとプーリ２５ｂの範囲で覆った湾曲部凸２２ｅを有していて、該湾曲部凸２２ｅの内側と無端丸ベルト２７の間に紙幣Ｍを挟持して取り込み搬送する。また、第２ガイド部材２２ｂは、プーリ２３ａに巻架された無端丸ベルト２７の外側を覆う湾曲凹部２２ｆを有していて、プーリ２３ａと無端丸ベルト２７の間に紙幣Ｍを挟持して取り込み搬送する。即ち、紙幣搬送装置９０によって搬送された紙幣Ｍは、紙幣取入口２２ａから紙幣引込機構２０内に送り込まれ、伝動プーリ２４ｂを介して伝達された回転を駆動回転軸２４に伝達することによって無端丸ベルト２７を回転させ、プーリ２３ａと無端丸ベルト２７の間に挟持された紙幣Ｍをプーリ２４ａとプーリ２５ｂを介して回転送出し軸２５まで搬送される。ここまで搬送された紙幣Ｍは、回転羽車２５ａによって紙幣誘導機構３０まで搬送される。【００２２】  紙幣誘導機構３０は、仕切り部６０の両端に配置され、各々上板１７と中板１９に両端が軸止された第１搬送軸３１と第２搬送軸３２とそれらの軸間に巻架された搬送ベルト３３とで構成されている。そして、第１搬送軸３１の両端には、プーリ３１ａが固着され、中央には、プーリ３１ｂが取付けられている。また、第２搬送軸３２の両端には、プーリ３１ａと対応するプーリ３２ａが固着されている。前述の搬送ベルト３３は、プーリ３１ａと対応するプーリ３２ａとの間に巻架されている。【００２３】  収納待機部１３は、前記の第１搬送軸３１と第２搬送軸３２の間に巻架された搬送ベルト３３の仕切り部６０側と仕切り部６０との間に画成されている。そして、収納待機部１３に搬送され待機状態にある紙幣Ｍは、紙幣押出機構４０によって、仕切り部６０に形成された通過口６１から紙幣収納部１２側の押し出される。【００２４】  紙幣押出機構４０は、紙幣収納部１２方向に往復動する紙幣押出板４１と該紙幣押出板４１を往復動させるクランク４２とクランク４２に動力を付与する駆動モータ４３とより構成されている【００２５】  紙幣押出板４１は、前述した機構収納部１１と紙幣収納部１２との境界に形成された仕切り部６０に設けられている���幣Ｍの通過口６１を紙幣Ｍが通過することができるような大きさの長矩形に形成されている。【００２６】  クランク４２は、紙幣押出板４１の裏面に接続されたクランクプレート４２ａと該クランクプレート４２ａに往復動力を伝達するクランクアーム４２ｂと該クランクアーム４２ｂに回転動力を付与する駆動モータ４３を備えている。【００２７】  クランクプレート４２ａは、矩形の板状を成し、一側面の後端側に逆く字形状の長溝４２ｃを形成している。一方、クランクアーム４２ｂは、長矩形の幅狭の板状を成し、一側面の上端部にクランクプレート４２ａに形成されている長溝４２ｃに嵌合する突起４２ｄを形成するとともに、他方の下端部側面に駆動モータ４３との連結部４２ｅを形成している。これらの突起４２ｄを長溝４２ｃに嵌合するとともに連結部４２ｅを駆動モータ４３に接続している。この接続により、駆動モータ４３が回転するとクランクアーム４２ｂが回転し、突起４２ｄが長溝４２ｃ内を摺動し、その摺動によって、クランクプレート４２ａを前進させ、突起４２ｄが逆く字形状の山を越えると逆にクランクプレート４２ａを後退させる。この往復動によって紙幣押出板４１が機構収納部１１と紙幣収納部１２との間を往復動する。即ち、仕切り部６０に形成された紙幣Ｍの通過口６１から出没する。この紙幣押出板４１の往復動により、紙幣引込機構３０に搬送された紙幣Ｍを紙幣収納部１２の内部に送り出し、紙幣収納部１２に配設されている紙幣挟持機構５０に積層挟持させる。【００２８】  紙幣収納部１２は、前述したように仕切り部６０と前板１４と側板１６と中板１９に画成された上段部分並びに前板１４と後板１５と側板１６と中板１９に画成されている下段部分より構成されている。そして、上段部分と下段部分を仕切っている中板１９には、仕切り部６０から前板１４に至る摺動溝１２ａが形成されている。この紙幣収納部１２は、機構収納部１１に対して仕切り部６０を境にして直交方向に配置されている。【００２９】  紙幣挟持機構５０は、仕切り部６０との間に紙幣Ｍを挟持するための紙幣挟持板５１と、該紙幣挟持板５１を前述の摺動溝１２ａ内に摺動可能に配設するための摺動体５２と、前板１４と後板１５に両端を支持され、摺動体５２を摺動可能に支持する一対の摺動竿５３と、一対の摺動竿５３の間で後板１５に近設された摺動体５２を付勢するための渦巻ばね（ぜんまい）５４と、紙幣Ｍの挟持限界量を検出する位置センサ５５とを備えている。【００３０】  紙幣挟持板５１は、紙幣収納部１２の上段部分に配置され、前記の仕切り部６０と平行に立設され、該仕切り部６０との間に紙幣Ｍを挟持する挟持片本体５１ａと、挟持片本体５１ａより幅狭で前述の摺動溝１２ａから紙幣収納部１２の下段部分に挿入された取付け片５１ｂを形成している。また、この取付け片５１ｂには、先端側を後板１５方向に直角に折曲して形成された摺動体５２への当接片５１ｃと渦巻ばね（ぜんまい）５４の固定部５１ｄが設けられている。一方挟持片本体５１ａの両側縁には、前板１４方向に拡開して耳片５１ｅが設けられている。この耳片５１ｅは、仕切り部６０と挟持片本体５１ａとの間に挟持された紙幣Ｍを取り出し易くするものである。即ち、紙幣Ｍと前板１４方向に拡開した耳片５１ｅとの間に拡開分の隙間が形成されるため指が挿入し易くなっている。【００３１】  摺動体５２は、樹脂の角材で成型され、前後方向に貫通した一対の貫通孔５２ａが形成されている。この貫通孔５２ａを摺動竿５３に貫通させ、摺動竿５３に対して摺動可能に保持している。尚、摺動体５２の上面には、紙幣挟持板５１に形成された当接片５１ｃが当接固定されている。【００３２】  摺動竿５３は、筐体１０に画成された紙幣収納部１２に形成された摺動溝１２ａを臨むようにして両端が前板１４と後板１５に固定されている。ここでは、一対の金属製丸棒で形成されている。【００３３】  渦巻ばね（ぜんまい）５４は、巻き取り部を一対の摺動竿５３の間で後板１５に近設して配置するとともに、帯状のばね体の先端を取付け片５１ｂに形成された固定部５１ｄに接続している。この時、渦巻ばね（ぜんまい）５４の特性であるところのばね体を一定量引き出した後の付勢力が一定となることを利用して付勢力が一定となる範囲で紙幣Ｍを挟持するように巻き取り部を筐体１０に取付けている。従って、紙幣Ｍの挟持量が増加しても挟持力が増し引き出し難くなるようなことはない。【００３４】  位置センサ５５は、筐体１０の下段部分の前板１４近傍で摺動竿５３を摺動してきた摺動体５２が摺動範囲限界に達する位置（紙幣Ｍの挟持量が満杯となる範囲）に配設されていて、紙幣Ｍが満杯になったことを外部に任意な手段（例えば、表示灯の点灯、音声）で知らせるように設定されている。【００３５】  本発明の特徴の一つである仕切り部６０は、機構収納部１１と紙幣収納部１２の接続部分に形成され、紙幣Ｍの通過口６１を形成している。この通過口６１は、正面から見て、横長の長矩形を成し、紙幣Ｍを起立した（長手が底辺となる方向）状態に対して、少なくとも、上下寸法が紙幣Ｍの上下寸法（以下、高さと称する）より低く形成されている。即ち、紙幣誘導機構３０の第１搬送軸３１に固着されたプーリ３１ａと第２搬送軸３２に固着されたプーリ３２ａ間に巻架された上下の搬送ベルト３３の間隔より大きい寸法に形成されている。そして、収納待機部１３が、上下の搬送ベルト３３と通過口６１の上下の縁壁６１ａ、縁壁６１ｂとの間に画成され、紙幣Ｍを搬入、待機させるようにしている。【００３６】  前述の上下の縁壁６１ａ、縁壁６１ｂのいずれか一方の縁壁を他の縁壁より後壁１５側に張り出すように形成している。即ち、本実施例では、図３に示すように、上の縁壁６１ａの厚みを下の縁壁６１ｂより厚く形成することによって、上の縁壁６１ａが後壁１５側に張り出している。尚、これらの上下の縁壁６１ａ、６１ｂの紙幣収納部１２側は、紙幣Ｍを垂直に挟持するために同一垂直面上に位置するよう形成されている。【００３７】  一方、紙幣引込機構２０に設けられた回転送出し軸２５の近傍には、紙幣Ｍの通過確認センサ７０が配設されている。この通過確認センサ７０は、紙幣Ｍが回転送出し軸２５を通過したか否かを確認するもので、紙幣Ｍの枚数、機構の作動状態などを検出した結果を外部に知らせる装置である。そして、通過後一定時間経過した時に紙幣押出機構４０を作動させるように設定してある。【００３８】  次に、本発明の紙幣��理装置１００における紙幣Ｍの流れについて説明する。まず、紙幣搬送装置９０が作動すると、紙幣引込機構２０の駆動用モータ（図示しない）が回転してその回転力をベルト（図示しない）を介して伝動プーリ２４ｂに伝達する。この伝動プーリ２４ｂの回転によって駆動回転軸２４が回転して、その結果、プーリ２４ａとプーリ２５ｂとプーリ２６ａと第４プーリ２１ａに巻架された無端丸ベルト２７が駆動回転する。この無端丸ベルト２７の回転によって、紙幣搬送装置９０によって搬送された紙幣Ｍは、紙幣取入口２２ａから紙幣引込機構２０内に送り込まれ、無端丸ベルト２７と各プーリの間或いは無端丸ベルト２７と第２ガイド部材との間で挟持されて搬送される。搬送された紙幣Ｍが回転送出し軸２５を通過すると通過確認センサ７０でその通過が確認され、搬送が正常な場合には、回転羽車２５ａによって紙幣誘導機構３０へ押し出される。そして、通過確認センサ７０で検出された信号が紙幣誘導機構３０に送信され、一定時間経過後に紙幣押出機構４０が作動する。この一定時間とは、紙幣誘導機構３０に引き込まれた紙幣が第１搬送軸３１と第２搬送軸３２の間に到達する時間である。言い換えれば、紙幣Ｍが紙幣押出機構４０の紙幣押出板４１の前方に画成されている収納待機部１３に到達するまでの時間である。そして、紙幣Ｍが紙幣押出板３１の前方に画成されている収納待機部１３に到達すると紙幣押出機構４０の駆動モータ４３が回転してクランクアーム４２ｂを回動させる。このクランクアーム４２ｂの回動により突起４２ｄが長溝４２ｃを摺動してクランクプレート４２ａを往復動させる。そして、クランクプレート４２ａが押し出された紙幣押出板４１が収納待機部１３に搬送待機している紙幣Ｍを、仕切り部６０（機構収納部１１と紙幣収納部１２の境界）に形成された通過口６１から通過させ紙幣収納部１２内に押し出す。【００３９】  このとき、仕切り部６０に形成された通過口６１の上下の縁壁６１ａ、縁壁６１ｂは、図３に示すように、上の縁壁６１ａの厚みを下の縁壁６１ｂより厚く形成することによって、上の縁壁６１ａが後壁１５側に張り出すように形成されているので、紙幣Ｍの下縁側が上縁側を支点として回転し、先に通過口６１の下の縁壁６１ｂを乗り越え、その後に紙幣Ｍの上縁側が通過口６１の上の縁壁６１ａを越えて通過する。【００４０】  このように、紙幣Ｍが仕切り部６０に形成された通過口６１を通過する際に、紙幣Ｍの上下の縁が同時に通過するようなことがないので、紙幣Ｍが通過口６１を通過した後ではねて、紙幣収納部１２内で不揃いとなることが少なく、しかも紙幣Ｍに過大な押し出し力が加わることがないので紙幣Ｍを損傷する恐れも少ない。【００４１】  紙幣収納部１２内の押し込まれた紙幣Ｍは、紙幣挟持機構５０の紙幣挟持板５１と通過口６１周囲の上の縁壁６１ａ、下の縁壁６１ｂを含む周囲の壁との間に挟持される。この動作を繰り返すことによって、紙幣Ｍが順次、紙幣挟持板５１と通過口の周囲の壁との間に積層されていく。しかしながら、紙幣挟持板５１を付勢しているばねが渦巻ばね（ぜんまい）５４で構成されているため紙幣Ｍの積層量が増加しても付勢力に変化が生じないので、紙幣Ｍが満杯となり店員が取り��そうとしたときに紙幣Ｍに過大な付勢力が加わっていないので容易に取り出すことができる。
【図面の簡単な説明】
【００４２】
【図１】本発明の紙幣処理装置の正面図である。
【図２】本発明の紙幣処理装置の上面図である。
【図３】図１のＡ−Ａ矢視図である。
【図４】本発明の紙幣処理装置の取付け状態を示した概略説明図である。
【符号の説明】
【００４３】１００  紙幣処理装置
１０  筐体
１１  機構収納部
１２  紙幣収納部
１２ａ  摺動溝
１３  収納待機部
１４  前板
１５  後板
１６  側板
１７  上板
１８  底板
１９  中板
２０  紙幣引込機構
２１  搬送部
２２  紙幣通路
２２ａ  紙幣取入口
２２ｂ  第１ガイド部材
２２ｃ  第２ガイド部材
２２ｄ  紙幣挿通路
２２ｅ  湾曲凸部
２２ｆ  湾曲凹部
２３  引込回転軸
２３ａ  プーリ
２４  駆動回転軸
２４ａ  プーリ
２４ｂ  伝動プーリ
２５  回転送出し軸
２５ａ  回転羽車
２５ｂ  プーリ
２６  張設回転軸
２６ａ  プーリ２０
２７  無端丸ベルト
２１ａ  第４プーリ
２２  第２搬送軸
３０  紙幣誘導機構
３１  第１搬送軸
３１ａ  プーリ
３１ｂ  プーリ
３０  紙幣押出機構
３２  第２搬送軸
３２ａ  プーリ
３３  搬送ベルト
４０  紙幣押出機構
４１  紙幣押出板
４２  クランク
４２ａ  クランクプレート
４２ｃ  長溝
４２ｄ  突起
４２ｅ  連結部
４３  駆動モータ
５０  紙幣挟持機構
５１  紙幣挟持板
５１ａ  挟持片本体
５１ｂ  取付け片
５１ｃ  当接片
５１ｄ  固定部
５１ｅ  耳片
５２  摺動体
５３  摺動竿
５４  渦巻ばね（ぜんまい）
５５  位置センサ
６０  仕切り
６１  通過口
６１ａ  上の縁壁
６１ｂ  下の縁壁
７０  通過確認センサ
８０  遊技機
８１  遊技媒体貸出機
９０  紙幣搬送装置
９１  ビルバリ
９２  カバー
【図１】
2006248777.tif 000003
【図２】
2006248777.tif 000004
【図３】
2006248777.tif 000005
【図４】
2006248777.tif 000006